(57)【特許請求の範囲】
【請求項１】
電気計装盤の機器を操作不能に前記電気計装盤の盤面又は盤内を覆う、柔軟性を有するシートと、
前記シートの周縁部に取付けられ、前記シートを前記電気計装盤の盤面又は盤内に着脱自在に固定する磁石と、
前記シートの周縁部に取付けられ、前記シートが前記電気計装盤の盤面又は盤内に取付けられたことを検知する検知手段と、
前記検知手段と接続し、前記電気計装盤の盤面又は盤内に取付けられた前記シートがめくられたか否かを監視し、前記シートがめくられたと判断すると警報を発する監視装置と、を備えることを特徴とする危険区画標示装置。
【請求項２】
前記シートは矩形形状を有し、
前記検知手段は、少なくとも前記シートの４角に取付けられていることを特徴とする請求項１に記載の危険区画標示装置。
【請求項３】
前記検知手段は、さらに前記シート各辺に１個以上取付けられており、
前記シートは、シートの一部分のみで前記電気計装盤の盤面又は盤内を覆い、残りの部分を折畳み、丸め、垂らし又は床に這わせた状態で使用することが可能であり、
前記監視装置は、前記シートの一部分のみで前記電気計装盤の盤面又は盤内を覆っていても、覆っている部分のシートがめくられたか否かを判定可能なことを特徴とする請求項２に記載の危険区画標示装置。
【請求項４】
前記監視装置は、監視を開始するスイッチを備え、該スイッチへのアクセスが制限されていることを特徴とする請求項１から３のいずれか１に記載の危険区画標示装置。
【請求項５】
前記監視装置のメインスイッチは、前記シートの裏面側に設けられ、前記シートを前記電気計装盤の盤面又は盤内に取付けた状態で、前記メインスイッチをオフにすることができないことを特徴とする請求項４に記載の危険区画標示装置。
【発明の詳細な説明】
【技術分野】
【０００１】
本発明は、危険区画を標示し、該区画へアクセスする者に対して注意を喚起する危険区画標示装置に関する。
本発明において、電気計装盤には配電盤、動力盤、計装盤、制御盤、操作盤が含まれ、電気計装盤の機器には、スイッチ、電気回路が含まれる。
【背景技術】
【０００２】
配電盤関係の作業を安全に行うには、作業を行う対象機器（作業対象機器）とその他の機器、特に運転中の機器（作業対象外機器）とを明確に区分けする必要がある。発変電所では、作業対象外機器の前面をビニールシートで覆い、あるいは作業対象外機器のスイッチ類にビニールテープを貼り、注意を喚起すると共に作業対象外機器を操作できないようにしている。
【０００３】
作業対象機器の点検作業、修理作業などにおいて、作業対象外機器を操作する必要がない場合には、前記方法を用いることで安全に作業を進めることができる。しかしながら作業対象機器の動作確認を行うために、作業対象外機器側のスイッチを操作する必要が生じるケースもある。この場合、一時的にビニールシートをめくり、あるいはビニールテープを取り去り、スイッチ操作することとなる。
【０００４】
このような場合、ビニールシートあるいはビニールテープの復旧を失念すると、不意に作業対象外機器を誤操作し、結果、停電事故や感電事故につながる。また作業対象外機器をビニールシートで覆っていても、何らかの理由でビニールシートを外してしまい、誤操作する場合もある。
【０００５】
このような誤操作については、これまでに電気設備、計装設備の制御盤でも指摘されており、これを解決する誤操作防止装置も提案されている（例えば特許文献１参照）。
【先行技術文献】
【特許文献】
【０００６】
【特許文献１】特開２００７−１２２１７１号公報
【発明の概要】
【発明が解決しようとする課題】
【０００７】
特許文献１に記載の装置は、制御盤の盤面に配置されたスイッチに作業者の手指などが接近したことをセンサーを介して検出し、この検出された位置にあるスイッチと制御盤上のスイッチの設定状態との組み合わせが、誤操作履歴と一致するときは、スピーカーを介して警報を発し、作業者の誤操作を防止するものである。特許文献１に記載の技術を、既設の配電盤等に適用する場合には、大掛かりな改造が必要となり、多大な時間と費用とが必要となる。さらに操作履歴、誤操作情報を配電盤毎に記憶させる必要があるため、メンテナンスにも多くの労力を必要とする。
【０００８】
従来の作業対象外機器の前面をビニールシートで覆う方法は、安価で容易に実施できる方法であるからこれを利用し、配電盤のスイッチ等の誤操作を防止し、あるいは誤操作につながる行為に対して注意を喚起することができれば好ましく、既設の配電盤などを何ら改造することなく使用することができればより好ましい。
【０００９】
本発明の目的は、既設の配電盤などを改造することなく、配電盤などに簡単に取付け使用することができる、危険区画を標示し、該区画へアクセスする者に対して注意を喚起し、誤操作を防止可能ならしめる危険区画標示装置を提供することである。
【課題を解決するための手段】
【００１０】
本発明は、電気計装盤の機器を操作不能に前記電気計装盤の盤面又は盤内を覆う、柔軟性を有するシートと、前記シートの周縁部に取付けられ、前記シートを前記電気計装盤の盤面又は盤内に着脱自在に固定する磁石と、前記シートの周縁部に取付けられ、前記シートが前記電気計装盤の盤面又は盤内に取付けられたことを検知する検知手段と、前記検知手段と接続し、前記電気計装盤の盤面又は盤内に取付けられた前記シートがめくられたか否かを監視し、前記シートがめくられたと判断すると警報を発する監視装置と、を備えることを特徴とする危険区画標示装置である。
【００１１】
本発明の危険区画標示装置は、シートが電気計装盤の盤面又は盤内に取付けられたことを検知する検知手段を備え、監視装置が電気計装盤の盤面又は盤内に取付けられたシートがめくられたと判断すると警報を発するので、危険区画標示装置を操作が禁止されている電気計装盤に取付けておけば、該区画が危険区画であることを標示し、該区画へアクセスする者に対して注意を喚起し、さらには該区画へアクセスがあったことを周囲の者に報知することで誤操作を防止することができる。本発明の危険区画標示装置は、シートが、磁石を介して電気計装盤の盤面又は盤内に取付けられるので、電気計装盤を改造することなく簡単に取付け使用することができる。
【００１２】
また本発明の危険区画標示装置は、前記構成に加え、前記シートは矩形形状を有し、前記検知手段は、少なくとも前記シートの４角に取付けられていることを特徴とする。
【００１３】
電気計装盤の盤面又は盤内に取付けられたシートをめくるときは、通常、角からめくられる。本発明によれば、検知手段が少なくともシートの４角に取付けられているので、少ない検知手段の数で効率的に電気計装盤の盤面又は盤内に取付けられたシートがめくられたことを検知することができる。
【００１４】
また本発明の危険区画標示装置は、前記構成に加え、前記検知手段は、さらに前記シート各辺に１個以上取付けられており、前記シートは、シートの一部分のみで前記電気計装盤の盤面又は盤内を覆い、残りの部分を折畳み、丸め、垂らし又は床に這わせた状態で使用することが可能であり、前記監視装置は、前記シートの一部分のみで前記電気計装盤の盤面又は盤内を覆っていても、覆っている部分のシートがめくられたか否かを判定可能なことを特徴とする。
【００１５】
本発明の危険区画標示装置は、シートの一部分のみを使用して電気計装盤の盤面又は盤内を覆い、残りの部分を折畳み、丸め、垂らし又は床に這わせた状態で使用することが可能であり、この状態であってもシートがめくられたことを判定可能なため、種々の大きさの電気計装盤に使用可能であり、使い勝手がよい。
【００１６】
また本発明の危険区画標示装置は、前記構成に加え、前記監視装置は、監視を開始するスイッチを備え、該スイッチへのアクセスが制限されていることを特徴とする。
【００１７】
本発明によれば、監視装置の監視を開始するスイッチは、アクセスが制限されているので、関係者以外の者が勝手にスイッチを操作し、監視装置を停止させることはできない。これにより電気計装盤の盤面又は盤内に取付けられたシートをめくると確実に警報が発せられ、該区画へアクセスする者に対して注意を喚起し、さらには該区画へアクセスがあったことを周囲の者に報知することができる。
【００１８】
また本発明の危険区画標示装置は、前記構成に加え、前記監視装置のメインスイッチは、前記シートの裏面側に設けられ、前記シートを前記電気計装盤の盤面又は盤内に取付けた状態で、前記メインスイッチをオフにすることができないことを特徴とする。
【００１９】
関係者以外の者が勝手に監視装置のメインスイッチをオフにすると、電気計装盤の盤面又は盤内を覆っているシートをめくっても警報が発せられないので、該区画へのアクセスを適切に防止することができない。しかしながら本発明の危険区画標示装置は、シートを電気計装盤の盤面又は盤内に取付けた状態でオフにすることができないので、関係者以外の者が勝手に監視装置のメインスイッチをオフにすることはなく、電気計装盤の盤面又は盤内に取付けられたシートをめくると確実に警報が発せられ、該区画へアクセスする者に対して注意を喚起し、さらには該区画へアクセスがあったことを周囲の者に報知することができる。
【発明の効果】
【００２０】
本発明の危険区画標示装置を、操作が禁止されている電気計装盤に取付けておけば、該区画が危険区画であることを標示し、該区画へアクセスする者に対して注意を喚起し、さらには該区画へアクセスがあったことを周囲の者に報知することで誤操作を防止することができる。本発明の危険区画標示装置は、シートが、磁石を介して電気計装盤の盤面又は盤内に取付けられるので、電気計装盤を改造することなく簡単に取付け使用することができる。
【図面の簡単な説明】
【００２１】
【図１】本発明の実施の一形態である危険区画標示装置１を配電盤１００の前面（盤面）に取付けた状態を示す正面図である。
【図２】図１の切断線Ａ−Ａで切断した断面図である。
【図３】図１の切断線Ｂ−Ｂで切断した断面図である。
【図４】図１の危険区画標示装置１を折畳んだ状態で配電盤１００の前面（盤面）に取り付けた状態を示す断面図である。
【図５】図１の危険区画標示装置１のセンサー１７の取付け要領を示す図である。
【図６】図１の危険区画標示装置１の監視装置２１の構成を示すブロック図である。
【図７】図１の危険区画標示装置１の監視装置２１の入力手段２５を示す正面図である。
【図８】図１の危険区画標示装置１の監視装置２１の動作手順を示すフローチャートである。
【発明を実施するための形態】
【００２２】
図１は、本発明の実施の一形態である危険区画標示装置１を配電盤１００の前面（盤面）に取り付けた状態を示す正面図である。図２は、図１の切断線Ａ−Ａで切断した断面図、図３は、図１の切断線Ｂ−Ｂで切断した断面図である。図４は、危険区画標示装置１を折畳んだ状態で配電盤１００の前面（盤面）に取り付けた状態を示す断面図である。なお、図面は必ずしも同一な縮尺で描かれていない。
【００２３】
危険区画標示装置１は、配電盤、制御盤、動力盤などに設けられたスイッチ等の操作を防止するために盤面に取付け、あるいはスイッチギア内の保護バリアを単独で開かないように保護バリアの前面を覆うようにスイッチギアを収納する盤内に取付け使用する装置である。以下、危険区画標示装置１を配電盤１００の盤面１０２に取付け使用する場合を例として取り上げ、危険区画標示装置１の構成、動作を説明する。
【００２４】
危険区画標示装置１は、配電盤１００の盤面１０２を覆うシート３と、シート３を配電盤１００の盤面１０２に着脱自在に固定する磁石１５と、シート３が配電盤１００の盤面１０２に取付けられたことを検知するセンサー１７と、配電盤１００の盤面１０２に取付けられたシート３がめくられたか否かを監視する監視装置２１と、警報を発する表示灯４１を有する。
【００２５】
シート３は、矩形形状の透明な樹脂性のシートであり、折畳み又は丸めて使用することができる柔軟性を備える。シート３は、透明でなくてもよいが、取付けた後も内部が視認できる透明シートが好ましい。シート３の厚さは、特定の厚さに限定されるものではないが、必要以上に厚くすると柔軟性が失われ、重量も重くなるので好ましくない。一方で、配電盤１００の盤面１０２には、計器１０４、スイッチ１０６等が取付けられているので、これらに接触して破損しない強度は必要である。
【００２６】
本実施形態に示すシート３の大きさは、１の配電盤１００の前面全体を覆うことができる大きさであるが、シート３の大きさは、特定の大きさに限定されるものではなく、対象とする配電盤１００の大きさに応じて適宜決定すればよい。
【００２７】
シート３は、図４に示すように折畳んだ状態で配電盤１００に取付け使用することも可能であり、さらにシート３の一部を丸めて使用し、あるいはシート３の一部を垂らし又は床に置いた状態でも使用することができるので小さな配電盤にも使用することができる。なお、配電盤全体、配電盤の１／２、配電盤の１／４を覆うことができる大きさのシート３を備える３種類の危険区画標示装置１を準備しておけば使い易い。
【００２８】
磁石１５は、シート３を配電盤１００の盤面１０２に固定するため、シート３の裏面５の周縁部７全体に接着されている。磁石１５は、帯状のゴム磁石であり、シート３を折畳み又は丸めたとき、シート３と一体となって折畳み又は丸めることができる。ゴム磁石は、公知のように合成ゴムと磁石粉末とを混合して成形した磁石であり、柔軟性を有するのでシート３を固定する磁石として好ましい。ゴム磁石に代え、柔軟性を有するプラスチック磁石を用いてもよく、さらに他の磁石を用いることもできる。
【００２９】
磁石１５の吸着力は、配電盤１００の盤面１０２に取付けたシート３が簡単に外れなければよく、特定の吸着力が要求されるものではない。また磁石１５は、シート３を配電盤１００の盤面１０２にしっかり固定することができれば、必ずしもシート３の周縁部７全体に隙間なく取付ける必要はなく、間隔を開けてスポット的に取付けてもよい。磁石１５をシート３の周縁部７にスポット的に取付けると、磁石１５自体に柔軟性がなくてもシート３を折畳み又は丸めることができる。
【００３０】
センサー１７は、シート３の裏面に取付けられ、シート３が配電盤１００の盤面１０２に取付けられたことを検知する検知手段である。ここではセンサー１７に感圧センサーを使用し、シート３を配電盤１００の盤面１０２に取付けたときセンサー１７に加わる圧力からシート３が配電盤１００の盤面１０２に取付けられたことを検知する。このような圧力を感知するセンサーとしては、圧電センサー、歪ゲージが例示される。
【００３１】
センサー１７は、シート３が配電盤１００の盤面１０２に取付けられたか否か、あるいはセンサー１７を含むシート３が、配電盤１００の盤面１０２に接触しているか否かを検知することができればよい。よって感圧センサー以外のセンサー、例えばタッチパネル、導通を検知するセンサーを使用することができる。さらにセンサー以外に突起部分が押されるとスイッチがオンとなるテープスイッチなどを使用することもできる。
【００３２】
以上のようにシート３が配電盤１００の盤面１０２に取付けられたか否かを検知する検知手段は、種々の形式のセンサー、スイッチを利用することができるが、使用目的から小型、薄型で安価なものが好ましい。さらに消費電力の少ないものが好ましい。
【００３３】
センサー１７は、シート３の４角と各辺に所定の間隔を設け複数個取付けられている。配電盤１００の盤面１０２に取付けられたシート３を取外すとき、あるいは配電盤１００の盤面１０２に取付けられたシート３をめくるとき、シート３が矩形であれば、通常、シート３の角から行われる。このため、シート３が配電盤１００の盤面１０２に取付けられたか否かを検知するセンサー１７は、シート３の４角に取付けることが効率的である。危険区画標示装置１を特定の配電盤１００に専用的に使用し、シート３を折畳み、丸め、垂らし又は床に這わせることなく使用するのであれば、センサー７は、４角にのみ取り付けてもよい。
【００３４】
本実施形態の危険区画標示装置１のように、シート３を折畳み、丸め、一部を垂らし又は床に這わせて使用することがある場合には、センサー１７をシート３の４角と各辺に複数個取付けることで、シート３が配電盤１００の盤面１０２に取付けられたか否かを確実に検知することができる。
【００３５】
例えば図４において、中央部の３つのセンサー１７ａは、配電盤１００の盤面１０２に接触していないので、このセンサー１７ａではシート３が配電盤１００の盤面１０２に取付けられたか否かを検知することができないが、他のセンサー１７ｂが配電盤１００の盤面１０２に接触しているので、センサー１７ｂを介してシート３が配電盤１００の盤面１０２に取付けられたことを検知することができる。
【００３６】
コストを考えればセンサー１７の数は少ない方が好ましいが、シート３を折畳み、丸め、一部を垂らし又は床に這わせて使用する場合には、センサー１７が配電盤１００の盤面１０２に接触しないこともあり得るので、使用態様を考えセンサー１７の取付け間隔、個数を決めることが好ましい。
【００３７】
図５にセンサー１７の取付け要領を示す。図５（Ａ）は、図１のＣ部のセンサー１７の取付け要領を示し、（Ｂ）は他の取付け要領を示す。図５（Ａ）は、磁石１５の上にセンサー１７を直接取付けるケースである。このセンサー１７は、フィルム状の感圧センサーであり厚さが薄い。センサー１７の厚さが薄い場合には、磁石１５の上にセンサー１７を取付けても、センサー１７とセンサー１７との間の磁石１５ｂが、配電盤１００の盤面１０２に吸着するためシート３を配電盤１００の盤面１０２にしっかりと固定することができる。
【００３８】
図５（Ｂ）は、磁石１５を間隔を設けてシート３に取付け、磁石１５と磁石１５との間にセンサー１７を取付けてある。センサー１７の厚さが厚い場合には、このような取付け要領を採用すればよい。センサー１７の端面１８が磁石の端面１６よりも僅かに突出するように取付ければ、シート３を配電盤１００の盤面１０２に取付けたことを確実に検知することができる。
【００３９】
監視装置２１は、配電盤１００の盤面１０２に取付けられたシート３がめくられたか否かを監視する監視手段と、シート３がめくられたと判断すると警報を発する警報手段とを備え、さらにシート３がめくられたと判断すると表示灯４１を点灯させ危険を報知する。監視装置２１の構成及び動作を図６、図７及び図８を用いて説明する。
【００４０】
図６は、監視装置２１の構成を示すブロック図、図７は、監視装置２１の入力手段２５を示す正面図である。図８は、監視装置２１の動作手順を示すフローチャートである。
【００４１】
監視装置２１は、センサー１７から信号を得て配電盤１００の盤面１０２に取付けられたシート３がめくられたか否かを監視、判定すると共に信号の入出力を制御するＣＰＵ２３、タッチパネル方式の入力装置２５、データを記録するメモリ２７及び記録手段２９を備える。さらに監視装置２１は、配電盤１００の盤面１０２に取付けられたシート３がめくられたか否かを判断すると警報音を発する警報装置３１とバッテリ３３とを備える。
【００４２】
入力装置２５は、タッチパネル方式の入力装置であり、監視装置２１の本体前面にテンキー部３７と表示部３９とを備える。ここで使用するタッチパネル方式の入力装置には、汎用のタッチパネル方式の入力装置を使用することができる。またタッチパネル方式の入力装置に代え、公知の押しボタン式の入力装置を使用してもよい。さらに他の方式の入力装置２５であってもよく、小型で安価なものが好ましい。
【００４３】
記録手段２９には、監視装置２１を動作させるためのプログラムがインストールされており、さらに各センサー１７の識別番号、監視装置２１にアクセスするためのパスワードも予め入力され、記録されている。なお、各センサー１７の識別番号、監視装置２１にアクセスするためのパスワードは、入力装置２５を介して設定、変更可能にプログラミングされている。
【００４４】
監視装置２１は、バッテリ３３を内蔵し、センサー１７及び表示灯４１に電源を供給する。監視装置２１のメインスイッチ３５は、裏面に設けられており、シート３が配電盤１００の盤面１０２に取付けられた状態で操作することはできない。このような監視装置２１は、コンピュータ、マイコン、プログラマブルロジックコントローラなどを用いて実現することができる。
【００４５】
本実施形態では、監視装置２１が警報装置３１を内蔵するが、監視装置２１と警報装置３１とが分離していてもよい。また本実施形態では、警報装置３１は警報音を発するが、警報音に代え、音声による警報を発し、注意を喚起するようにしてもよい。
【００４６】
表示灯４１は、シート３がめくられたとき危険を報知するための装置であり、監視装置２１から電源供給を受けＬＥＤを点灯させ、危険を報知する。
【００４７】
監視装置２１の動作を説明する。メインスイッチ３５をオンにし、シート３で配電盤１００を覆うように危険区画標示装置１を配電盤１００の盤面１０２に取付ける（ステップＳ１）。シート３の裏面には磁石１５が設けられているので配電盤１００をシート３で覆うことができる。次に、入力装置２５であるタッチパネルを操作し、予め決められたパスワードを入力して操作画面を開く（ステップＳ２）。
【００４８】
操作画面から動作スイッチをオンとする（ステップＳ３）。ＣＰＵ２３は、動作スイッチがオンとなると、記録手段２９からプログラムを読み出し、各センサー１７から信号を受信し、これを初期データとし、各センサー１７に設けられた識別番号と関連付けてメモリ２７に記録する（ステップＳ４）。以降、ＣＰＵ２３は、各センサー１７から信号を受信し（ステップＳ５）、このデータと初期データとを比較する（ステップＳ６）。
【００４９】
シート３で配電盤１００を覆うように危険区画標示装置１を配電盤１００の盤面１０２に取付けた状態においては、磁石１５が盤面１０２に吸着しているためセンサー１７には、荷重が加わっている。この状態からシート３の一部でもめくると、めくられた部分のセンサー１７には、加わっていた荷重が取り除かれるため、センサー１７の出力が初期状態と異なる。
【００５０】
ＣＰＵ２３は、いずれか１のセンサー１７が初期状態と異なっていると判断すると（ステップＳ６）、シート３がめくられたと判断し、危険を報知するために警報装置３１を通じて警報音を発すると共に、表示灯４１を点灯させる（ステップＳ７）。
【００５１】
監視装置２１の動作を停止させるときは、入力装置２５であるタッチパネルを操作し、予め決められたパスワードを入力して操作画面を開き、操作画面から動作スイッチをオフとする。その後、危険区画標示装置１を配電盤１００から取外しメインスイッチ３５をオフとする。
【００５２】
監視装置２１は、メインスイッチ３５がシート３の裏面５側に設けられているので、危険区画標示装置１を配電盤１００に取付けた状態で操作することができない。このため関係者以外の者が、勝手に監視装置２１を停止させることはできない。また電源が電源コードを通じて供給されないので、勝手に電源コードをコンセントから抜き去り、監視装置２１１を停止させることもない。
【００５３】
さらに監視装置２１を動作させ、あるいは停止させるにはパスワードが必要であるので、関係者以外の者が、勝手に監視装置２１を動作、停止させることはできない。以上のように、危険区画標示装置１を配電盤１００に取り付けた後は、監視が確実に行われるので、安心して使用することができる。
【００５４】
危険区画標示装置１の一部を使用し、配電盤１００を覆う場合、例えば図４に示すように危険区画標示装置１の中央部を折畳んだ状態で配電盤１００の前面に取り付けたような場合、さらには危険区画標示装置１の中央から上の部分のみで配電盤１００を覆い、危険区画標示装置１の中央から下の部分を床に置いたような場合であっても、配電盤１００を覆っている部分のシート３に取付けられたセンサー１７の信号の変化から、シート３がめくられたことを検知することができる。
【００５５】
以上のように危険区画標示装置１は、シート３が配電盤１００の盤面１０２に取付けられたことを検知するセンサー１７を備え、監視装置２１が配電盤１００の盤面１０２に取付けられたシート３がめくられたと判断すると警報を発するので、危険区画標示装置１を操作が禁止されている配電盤１００に取付けておけば、該区画が危険区画であることを標示し、該区画へアクセスする者に対して注意を喚起し、さらには該区画へアクセスがあったことを周囲の者に報知することで誤操作を防止することができる。
【００５６】
また危険区画標示装置１は、シート３が、磁石１５を介して配電盤１００の盤面１０２に取付けられるので、配電盤１００を改造することなく簡単に取付け使用することができる。さらに危険区画標示装置１は、構成が単純であり、シート３を折畳むこともできるので簡単に持ち運ぶことができる。
【００５７】
本発明の危険区画標示装置１は、上記実施形態に限定されるものではなく要旨を変更しない範囲で種々変更することができる。
【符号の説明】
【００５８】
１  危険区画標示装置
３  シート
７  シートの周縁部
１５、１５ｂ  磁石
１７、１７ａ、１７ｂ  センサー
２１  監視装置
３１  警報装置
３３  バッテリ
３５  メインスイッチ
４１  表示灯
１００  配電盤
１０２  配電盤の盤面
１０４  計器
１０６  スイッチ
【図１】
0005954768.tif 000002
【図２】
0005954768.tif 000003
【図３】
0005954768.tif 000004
【図４】
0005954768.tif 000005
【図５】
0005954768.tif 000006
【図６】
0005954768.tif 000007
【図７】
0005954768.tif 000008
【図８】
0005954768.tif 000009